(57)【要約】      （修正有）【課題】災害時の仮設トイレへの給水を確保すると共に、停電時も安定して給水が可能な仮設トイレ用給水システムを提供する。【解決手段】非常電源駆動ポンプ５と仮設トイレ１８に送水する手押しポンプ６と、先端にフート弁１９を取り付けた吸込み管２と、入口を吸込み管に接続し途中に三方弁４を取り付け一方を非常電源駆動ポンプ吸い込み口へ他方を手押しポンプ吸い込み口へ連結する分岐管３と、両ポンプの吐出し口を合流する途中に三方弁８を取り付けた合流管７と、三方弁の仮設トイレ側と接続する仮設トイレに送水する送水配管９で構成した仮設トイレ用給水システム。三方弁を仮設トイレ側に切替え、手押しポンプを運転して吸込み分岐管を通して満水状態にし、非常電源駆動ポンプ内及び吸込み分岐管の空気を除去し仮設トイレ側へ送水後、手押しポンプを停止し、吐出合流管の三方弁を仮設トイレ側に切替え、非常電源駆動ポンプが確実に揚水されるようにした。【選択図】図１
2015151853.tif 000002
【特許請求の範囲】
【請求項１】
ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に三方弁を取り付け、一方を前記非常電源駆動ポンプ吸い込み口へ他方を前記手押しポンプ吸い込み口へ連結する分岐管と、前記両ポンプの吐出し口を合流する途中に三方弁を取り付けた合流管と、該三方弁の仮設トイレ側と接続する仮設トイレに送水する送水配管とで構成した仮設トイレ用給水システムにおいて、使用初期は、前記吐出側合流管部に取り付けた三方弁と、前記吸込み分岐管に取り付けた三方弁を三方向に開放し、前記非常電源駆動ポンプの呼び水手段を作用させて、最初に手押しポンプを運転して吸込み管、吸込み分岐管及び手押しポンプの空気と吸上げた水と一緒に仮設トイレ側に排出して満水状態にしながら、該非常電源駆動ポンプ内及び該吸込み分岐管の空気を前記手押しポンプにより除去し満水状態にしながら仮設トイレ側へ送水し、これが完了したところで前記非常電源駆動ポンプの呼び水手段の作用を停止して手押しポンプを停止し、前記吸込み分岐管の三方弁を前記吸込み管から手押しポンプへ流れる方向を遮断し、前記吸込み管から非常電源駆動ポンプへ流れる方向を開放して、前記吐出合流管の三方弁を、前記手押しポンプから仮設トイレ側への送水を遮断し、前記非常電源駆動ポンプから仮設トイレ側へ送水されるよう前記三方弁を切替え、前記非常電源駆動ポンプを運転する手順で吸込み管、吸込み分岐管及び非常電源駆動ポンプ内の空気を除去し満水状態にして前記非常電源駆動ポンプが確実に揚水されるようにしたことを特徴とする停電時も安定して給水が可能な仮設トイレ用給水システム。
【請求項２】
特許請求項１において、吸込み分岐管と吐出合流管に取り付けた三方弁を共に非常電源駆動ポンプ運転時、呼び水時、手押しポンプ運転時の三方向に連動操作するようにしたことを特徴とする停電時も安定して給水が可能な仮設トイレ用給水システム。
【請求項３】
特許請求項１において、使用初期は、前記吐出側合流管部に取り付けた三方弁を三方向に開放すると共に、前記吸込み分岐管に取り付けた三方弁を該吸込み管から手押しポンプへ流れる方向を開放し、該吸込み管から非常電源駆動ポンプへ流れる方向を遮断して、前記非常電源駆動ポンプの呼び水手段を作用させて、最初に手押しポンプを運転して吸込み管、吸込み分岐管及び手押しポンプの空気と吸上げた水と一緒に仮設トイレ側に排出して満水状態にしながら、該非常電源駆動ポンプ内及び該吸込み分岐管の空気を該非常電源駆動ポンプ吐出側から仮設トイレ側へ送水し、満水状態にしてこれが完了したところで前記非常電源駆動ポンプの呼び水手段の作用を停止して手押しポンプを停止し、前記吸込み分岐管の三方弁の前記吸込み管から手押しポンプへ流れる方向を遮断し、前記吸込み管から非常電源駆動ポンプへ流れる方向を開放して、前記吐出合流管の三方弁を、前記手押しポンプから仮設トイレ側への送水を遮断し、前記非常電源駆動ポンプから仮設トイレ側へ送水されるよう前記三方弁を切替えるようにしたことを特徴とする停電時も安定して給水が可能な仮設トイレ用給水システム。
【請求項４】
ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に仕切弁を取り付け、一方を前記非常電源駆動ポンプ吸い込み口へ他方を前記手押しポンプ吸い込み口へ連結する分岐管と、前記両ポンプの吐出し口を合流する仕切弁を取り付けた合流管と、該合流管の仮設トイレ側と接続する仮設トイレに送水する送水配管とで構成した仮設トイレ用給水システムにおいて、使用初期は、前記吐出側合流管部と前記吸込み分岐管に取り付けた仕切弁を開放し、前記非常電源駆動ポンプの呼び水手段を作用させて、最初に手押しポンプを運転して吸込み管、吸込み分岐管及び手押しポンプの空気と吸上げた水と一緒に仮設トイレ側に排出して満水状態にしながら、該非常電源駆動ポンプ内及び該吸込み分岐管の空気を前記手押しポンプにより除去し満水状態にしながら仮設トイレ側へ送水し、これが完了したところで前記非常電源駆動ポンプの呼び水手段の作用を停止して手押しポンプを停止し、前記吸込み分岐管の仕切弁を閉じて前記吸込み管から手押しポンプへ流れる方向を遮断し、前記吸込み管から非常電源駆動ポンプへ流れる方向を開放して、前記吐出合流管の仕切弁を閉じて、前記手押しポンプから仮設トイレ側への送水を遮断し、前記非常電源駆動ポンプから仮設トイレ側へ送水されるようにして、前記非常電源駆動ポンプを運転する手順で吸込み管、吸込み合流管及び非常電源駆動ポンプ内の空気を除去し満水状態にして前記非常電源駆動ポンプが確実に揚水されるようにしたことを特徴とする停電時も安定して給水が可能な仮設トイレ用給水システム。
【請求項５】
特許請求項１〜４において、非常電源駆動ポンプ系が故障した場合は、手押しポンプの運転へ切り替えバックアップすることを特徴とする停電時も安定して給水が可能な仮設トイレ用給水システム。
【請求項６】
特許請求項１〜４において、三方弁及び仕切弁を自動弁に変更し、第１〜第４の特許請求項で操作した手順を自動化し、誤操作による非常電源駆動ポンプ、吸込み管及び吸込み合流管の呼び水及び満水不能の問題を解消するようにしたことを特徴とする停電時も安定して給水が可能な仮設トイレ用給水システム。
【請求項７】
特許請求項１、６において、前記三方弁及びポンプの操作手順を注意銘板又は看板に記載し、掲示したガイダンス機能を付加したことを特徴とする停電時も安定して給水が可能な仮設トイレ用給水システム。
【発明の詳細な説明】
【技術分野】
【０００１】  本発明は、災害時の仮設トイレ用給水ポンプシステムに関する。
【背景技術】
【０００２】  東北関東大震災以降、災害時の生活用水を確保しようとする機運がより一層高まっている。特に、停電時の仮設トイレへの給水と、その対応が大きな課題となっている。これの公知例として、文献１、文献２がある。【０００３】  文献１のマンホール設置式可搬手押しポンプは、防災用水としての貯水槽マンホール上に可搬手押しポンプを設置し、前記マンホールにホース（吸込み管）を通す穴を開け、水源の水を、前記ホースを介して前記手押しポンプにより吸い上げて災害時に無電力で給水するための手押しポンプ、マンホール、搬送手段である二輪車の構造、形状が開示されている。【０００４】  また文献２の仮設トイレは、便器と、この便器に流す洗浄水を蓄える貯水タンクとが一体となり、人力ポンプと電動ポンプを併設し、貯水タンクの洗浄水を前記併設したポンプにより便器に送水して洗浄することが開示されている。【０００５】
【先行技術文献】
【特許文献】
【０００６】
【特許文献２】特開２００９−１５５８７１公報  仮設トイレ
【実用新案文献１】
実願２０１２−３７８１公報  マンホール設置式可搬手押しポンプ
【発明の概要】
【発明が解決しようとする課題】
【０００７】  しかしながら、実用新案文献１のマンホール設置式可搬手押しポンプおいては、電動ポンプと併設して使用することが記載されておらず、電動ポンプの呼び水及び吸込み管の空気除去、満水方法についての課題が認識されておらず開示がされていない。特許文献２の仮設トイレにおいては、併設された人力ポンプと電動ポンプについての呼び水及び吸込み管の空気除去、満水方法についての記載がなくこれに関する開示がされていない。
そこで、本発明の目的は、災害時（停電時）の仮設トイレへの給水を確保すると共に、停電時も安定して給水が可能なポンプは非常電源駆動ポンプとし、これの非常電源がダウンした時のバックアップポンプとして人力で操作の可能な手押しポンプとを搭載した仮設トイレ用給水システムを提供することにある。
ところで、本発明の仮設トイレ用給水システムは災害用が主用途であるため、万能形が求められる。本システムに使用するポンプは、汎用性が高く一般に広く用いられている遠心ポンプを用いる。特に、遠心ポンプを用いると吸込み運転において次に示す問題があり、これを解消する必要がある。
１）ポンプと吸込み管の空気を水と置換し呼び水を行う。複雑な吸込み管はこれが困難。
２）更に、従来は、上記１）の問題を解消するのが困難なため複数ポンプの吸込み側を合    流させることを回避していた。
【課題を解決するための手段】
【０００８】  上記目的を達成するために本発明の第１の実施形態は、ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に三方弁を取り付け、一方を前記非常電源駆動ポンプ吸い込み口へ他方を前記手押しポンプ吸い込み口へ連結する分岐管と、前記両ポンプの吐出し口を合流する三方弁を取り付けた合流管と、該記三方弁の仮設トイレ側と接続する仮設トイレに送水する送水配管とで構成した仮設トイレ用給水システムにおいて、使用初期は、前記吐出側合流部と、前記吸込み分岐管に取り付けた三方弁を三方向に開放し、前記非常電源駆動ポンプの呼び水手段を作用させて、最初に手押しポンプを運転して吸込み管、吸込み分岐管（手押しポンプの運転で通水される部位）及び手押しポンプの空気と吸上げた水と一緒に仮設トイレ側に排出して満水状態にしながら、該非常電源駆動ポンプ内及び該吸込み分岐管（手押しポンプの運転で吸引されて通水される部位）の空気を前記手押しポンプにより除去し満水状態にしながら仮設トイレ側へ送水し、これが完了したところで前記非常電源駆動ポンプの呼び水手段の作用を停止して手押しポンプを停止し、前記吸込み分岐管の三方弁の前記吸込み管から手押しポンプへ流れる方向を遮断し、前記吸込み管から非常電源駆動ポンプへ流れる方向を開放して、前記吐出合流管の三方弁を、前記手押しポンプから仮設トイレ側への送水を遮断し、前記非常電源駆動ポンプから仮設トイレ側へ送水されるよう前記三方弁を切替え、前記非常電源装置を作動させ非常電源駆動ポンプを運転する手順で吸込み管、吸込み合流管及び非常電源駆動ポンプ内の空気を除去し満水状態にして前記非常電源駆動ポンプが確実に揚水されるようにした停電時も安定して給水が可能な仮設トイレ用給水システムである。
尚、非常電源駆動ポンプには遠心ポンプを用いたものである。【０００９】  上記目的を達成するための上記実施形態において、さらに好適な実施形態は以下の通りである。第１の実施形態において、吸込み分岐管と吐出合流管に取り付けた三方弁を共に非常電源駆動ポンプ運転時、呼び水時、手押しポンプ運転時の三方向に連動操作するようにした停電時も安定して給水が可能な仮設トイレ用給水システムである。
さらに好適な実施形態は以下の通りである。第１の実施形態において、使用初期は、前記吐出側合流管部に取り付けた三方弁を三方向に開放すると共に、前記吸込み分岐管に取り付けた三方弁を該吸込み管から手押しポンプへ流れる方向を開放し、該吸込み管から非常電源駆動ポンプへ流れる方向を遮断して、前記非常電源駆動ポンプの呼び水手段を作用させて、最初に手押しポンプを運転して吸込み管、吸込み分岐管及び手押しポンプの空気と吸上げた水と一緒に仮設トイレ側に排出して満水状態にしながら、該非常電源駆動ポンプ内及び該吸込み分岐管の空気を該非常電源駆動ポンプ吐出側から仮設トイレ側へ送水し、満水状態にしてこれが完了したところで前記非常電源駆動ポンプの呼び水手段の作用を停止して手押しポンプを停止し、前記吸込み分岐管の三方弁の前記吸込み管から手押しポンプへ流れる方向を遮断し、前記吸込み管から非常電源駆動ポンプへ流れる方向を開放して、前記吐出合流管の三方弁を、前記手押しポンプから仮設トイレ側への送水を遮断し、前記非常電源駆動ポンプから仮設トイレ側へ送水されるよう前記三方弁を切替えるようにした停電時も安定して給水が可能な仮設トイレ用給水システムである。【００１０】  上記目的を達成するための本発明の第４の実施形態は、ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に仕切弁を取り付け、一方を前記非常電源駆動ポンプ吸い込み口へ他方を前記手押しポンプ吸い込み口へ連結する分岐管と、前記両ポンプの吐出し口を合流する途中に仕切弁を取り付けた合流管と、該合流管の仮設トイレ側と接続する仮設トイレに送水する送水配管とで構成した仮設トイレ用給水システムにおいて、使用初期は、前記吐出側合流管部と、前記吸込み分岐管に取り付けた仕切弁を開放し、前記非常電源駆動ポンプの呼び水手段を作用させて、最初に手押しポンプを運転して吸込み管、吸込み分岐管（手押しポンプの運転で通水される部位）及び手押しポンプの空気と吸上げた水と一緒に仮設トイレ側に排出して満水状態にしながら、該非常電源駆動ポンプ内及び該吸込み分岐管（手押しポンプの運転で吸引されて通水される部位）の空気を前記手押しポンプにより除去し満水状態にしながら仮設トイレ側へ送水し、これが完了したところで前記非常電源駆動ポンプの呼び水手段の作用を停止して手押しポンプを停止し、前記吸込み分岐管の仕切弁を閉じて前記吸込み管から手押しポンプへ流れる方向を遮断し、前記吸込み管から非常電源駆動ポンプへ流れる方向を開放して、前記吐出合流管の仕切弁を閉じて、前記手押しポンプから仮設トイレ側への送水を遮断し、前記非常電源駆動ポンプから仮設トイレ側へ送水されるようにして、前記非常電源装置を作動させ非常電源駆動ポンプを運転する手順で吸込み管、吸込み合流管及び非常電源駆動ポンプ内の空気を除去し満水状態にして前記非常電源駆動ポンプが確実に揚水されるようにした停電時も安定して給水が可能な仮設トイレ用給水システ���である。【００１１】  上記目的を達成するための本発明の第１〜第４の実施形態において、さらに好適な実施形態は以下の通りである。【００１２】（５）第１〜第４の実施形態において、非常電源駆動ポンプ系が故障した場合は、手押しポンプの運転へ切り替えバックアップする停電時も安定して給水が可能な仮設トイレ用給水システムである。【００１３】（６）第１〜第４の実施形態において、三方弁及び仕切弁を自動弁に変更し、第１〜第４の特許請求項で操作した手順を自動化し、誤操作による非常電源駆動ポンプ、吸込み管及び吸込み合流管の呼び水及び満水不能の問題を解消するようにした停電時も安定して給水が可能な仮設トイレ用給水システムである。【００１４】（７）第１〜第６の実施態様において、前記三方弁及びポンプの操作手順を注意銘板又は看板に記載し、掲示したガイダンス機能を付加した停電時も安定して給水が可能な仮設トイレ用給水システムである
【発明の効果】
【００１５】  本発明によれば、災害時において水源からの揚水方法が、吸込み運転であっても、初期時に吸込み分岐管と吐出合流管の三方弁又は仕切弁を全方向に開放し、手押しポンプを最初に運転することにより、吸込み管、吸込み分岐管及び非常電源駆動ポンプ内の空気を除去し確実に満水状態とし、［段落０００７］で述べた吸込み運転の問題を解消することができる。これによって、手押しポンプと非常電源駆動ポンプの吸い込み側を合流しても使用が可能としたのである。さらに、非常電源駆動ポンプ故障時に手押しポンプによるバックアップ給水が出来る。
【図面の簡単な説明】
【００１６】
【図１】本発明第１〜３の実施形態の災害用仮設トイレの送水に適用した仮設トイレ用給水システムの系統図。
【図２】本発明第１、２の実施形態の災害用仮設トイレの送水に適用した仮設トイレ用給水システムの三方弁開閉操作説明図
【図３】本発明第４の実施形態の災害用仮設トイレの送水に適用した仮設トイレ用給水システムの系統図。
【図４】本発明各実施形態の手押しポンプの原理を説明する概念図
【図５】本発明第１〜６の実施形態の制御盤の回路図。
【図６】本発明第１〜７の実施形態の操作取扱いガイダンスを表示した看板図。
【発明を実施するための形態】
【００１７】  以下、本発明の実施形態について図１〜図６により説明する。
図１は第１〜３の実施形態の災害用仮設トイレの送水に適用した仮設トイレ用給水システムの系統図を示している。先ず第１の実施形態について説明する。１は水源であり例えば避難先が学校であればプール、公園等であれば防火．防災用水槽等である。そして、この水源は設置されるポンプよりは下位にあることが多い。この場合、ポンプと水源との距離は高さで５〜６ｍ以内とするのが望ましい。２は先端にフート弁１９を取り付けた吸い込み管、３は入口を前記吸い込み管と連結し、出口側の一方を非常電源駆動ポンプ（以下ポンプと略して呼ぶ）５の吸込み口５ａに接続し、他方を手押しポンプ６の吸込み口６ａと接続する途中に三方弁４を取り付けた分岐管、７は一方を前記ポンプ５の吐出し口５ｂと接続し、他方を前記手押しポンプ６の吐出し口６ｂと接続する途中に三方弁８を取り付けた合流管、９は前記三方弁８の出口Ｃと接続し仮設トイレ群１８と連結した横引き配管１３の一方の接続口１３ａと接続する送水管、１４、１５はそれぞれ前記横引き配管１３に接続する貯留槽１４及び仕切弁１５、１６は前記横引き配管１３（接続口１３ｂ）と接続し下水管１７と接続して滞留した仮設用トイレ使用後の汚水及び汚物を給水と一緒に送水する送水管、２０は前記ポンプのモータ２２に電力Ｓ２０を供給する非常電源装置である。尚、前述の三方弁４はポンプへの空気噛み込み防止を考慮すると極力非常電源駆動ポンプ側に取り付けるのが望ましい。
図２は前述した図１（仮設トイレ用給水システム）の吸い込み側分岐管と吐出合流管に取り付けた三方弁４、８の開閉機能説明図である。同図において、両三方弁４、８を共に連動して非常電源駆動ポンプ運転時にはａ−ｃ側を開き、ｂ−ｃ側を閉じ、呼び水時にはａ−ｃ側とｂ−ｃ側を共に解放されるよう開き、手押しポンプ運転時にはａ−ｃ側を閉じ、ｂ−ｃ側を開くように操作する。
このように構成した仮設トイレ用給水システムの要点について説明する。
前述したポンプ５は、遠心ポンプを採用する。その理由は、自吸式ポンプもあるが吸込み側が分岐し且つ、三方弁が取り付けられており完全な自吸に不安があり、これの対処が難しく後で述べる手押しポンプの採用とこれによる吸込み管、分岐管、ポンプ内の呼び水、空気除去、満水が十分にできることが明らかなためでる。そして、ポンプ５には呼び水手段１０が備わっている。この呼び水手段１０は呼び水じょうご又はタンク１２（手押しポンプ運転時に空気を吸い込まない程度の容量であれば良い。）と仕切弁１１から成る。手押しポンプ６は、本システムにおいて、非常電源ダウン時のポンプバックアップとして不可欠であるばかりでなく前述した吸込み管、分岐管、ポンプ内の呼び水、空気除去、満水機能を果たす重要な機器となっている。
【００１８】  これの原理を図４の手押しポンプ概念図により説明する。図４において、図１〜図３、図５と同じ記号の機器または部品は同じものであるから説明を省く。４０はシリンダー、４５は連通穴４５ａを有するピストン、４６はピストンを上下に動かすためのハンドル、４７はピストンとハンドルを連結する連結棒、Ａは下部弁、Ｂは上部弁である。
作動は図４の右側に示す４工程で実行される。先ず、水源１には大気圧１０ｍ（水柱）がかかっているから、シリンダー内を負圧にすれば理論上水源の水を１０ｍ吸上げることが出来るが、途中の損失を考慮すると６ｍ程度の吸上げとなる。第１の工程において、ピストンは最上位にて静止している。水位はピストン底面にあり、弁Ａ、Ｂは共に閉じており、手押しポンプ吐出口から水は未だ吐出されない。ハンドルを途中まで引き上げ静止させたピストンがシリンダーの途中にある状態が第２の工程である。水位は水が吐出される直前の位置にあり弁Ａは閉じ、弁Ｂは開いている。ハンドルを最上位まで引き上げ静止させたピストンがシリンダーの最下位にある状態が第３の工程である。水位は未だ水が吐出される直前の位置にあり、弁Ａ、Ｂは閉じている。ハンドルを押し下げるとピストンの下部、シリンダー内が負圧となり水源の水を吸い上げ、ピストンの上部、シリンダー内の水が吐出口より吐き出される。こうしてハンドルを途中まで押し下げて静止させたピストンがシリンダーの途中にある状態が第４の工程である。弁Ａは、開き弁Ｂは閉じている。勿論、ハンドルを最下位まで押し下げ静止するまで前記状態は継続する。即ち、水源の水はピストン底部、最上位まで吸い上げられている。（第１工程の状態）以下、第１〜第４工程を、繰り返し揚水をしていくこととなる。
【００１９】  さて、次に吸込み管、分岐管、ポンプ内の呼び水、空気除去、満水機能の作用について詳細に説明する。使用初期は、前記吐出側合流管と吸込み分岐管に取り付けた三方弁８、４を、ａ−ｃ側を開放、ｂ−ｃ側を開放する。（図２参照）加えて、前記ポンプ５の呼び水手段１０の仕切弁１１を開放する。そして、最初に手押しポンプを運転して吸込み管、吸込み分岐管（手押しポンプの運転で通水される部位）を通して水源の水を吸上げ、空気と吸上げた水と一緒に仮設トイレ側に排出して満水状態とする。この状態を維持しながら、呼び水じょうご又はタンク１２に注水している水から呼び水を行い、ポンプ５内及び該吸込み分岐管（ポンプ側の手押しポンプの運転で吸引されて通水される部位）の空気を揚水と一緒に仮設トイレ側へ送水し満水状態にする。このポンプ内の満水は、手押しポンプ運転によるサイホン現象を利用したものである。これが完了したところで前記ポンプの呼び水手段の仕切弁１１閉じて手押しポンプを停止する。この時に、呼び水じょうご又はタンク１２の水がなくなり外気を吸い込まれないように前記仕切弁１１を閉じる。続いて、前記吸込み分岐管と吐出合流管の三方弁４のｂ−ｃ側を閉じ、ａ−ｃ側を開放する。即ち、手押しポンプから仮設トイレ側への送水を遮断し、ポンプから仮設トイレ側へ送水されるよう前記三方弁を切替える。この後、前記非常電源装置１０を作動させてポンプを運転する。
上記実施形態において、さらに好適な実施形態は、第１の実施形態において、図２に示すように吸込み分岐管３と吐出合流管７に取り付けた三方弁４、８を共に非常電源駆動ポンプ運転時、呼び水時、手押しポンプ運転時の三方向に連動操作するようにしたものである。
さらに好適な実施形態は次のとおりである。第１の実施形態において、使用初期は前記吐出側合流管７部に取り付けた三方弁８を三方向（ａ−ｃ側、ｂ−ｃ側を共に開）に開放すると共に、前記吸込み分岐管３に取り付けた三方弁４を該吸込み管から手押しポンプへ流れる方向（ｂ−ｃ側を開）に開放し、該吸込み管２からポンプ５へ流れる方向（ａ−ｃ側を閉）を遮断する。そして、前記ポンプ５の呼び水手段１０を作用させて、最初に手押しポンプ６を運転して吸込み管２、吸込み分岐管３及び手押しポンプ６の空気と吸上げた水と一緒に仮設トイレ側に排出して満水状態にしながら、該ポンプ５内及び該吸込み分岐管３の空気を該ポンプ５の吐出側から仮設トイレ側へ送水し満水状態にする。これが完了したところで前記ポンプ５の呼び水手段１０の作用を停止して手押しポンプを停止する。続いて、前記吸込み分岐管３の三方弁４を、前記吸込み管２から手押しポンプ６へ流れる方向（ｂ−ｃ側を閉）を遮断し、前記吸込み管２からポンプ５へ流れる方向（ａ−ｃ側を開）を開放して、前記吐出合流管７の三方弁８を、前記手押しポンプ６から仮設トイレ１８側への送水を遮断し、前記ポンプ５から仮設トイレ１８側へ送水されるよう前記三方弁８を切替えるものである。
以上の一連の動作で吸込み管、吸込み分岐管及びポンプ内の空気を除去し満水状態にして前記ポンプが確実に揚水されるように手順化したものである。
【第１〜３の実施形態の効果】
【００２０】  このようにすると、手押しポンプ運転時のサイホン現象により吸込み管、分岐管、ポンプ内の空気が確実に除去され満水状態となりポンプからの送水が確実に仮設トイレ側に送水され、［段落０００７］で述べた従来の吸込み運転に関連する問題を解消することができる。
【００２１】  次に第４の実施形態について説明する。図３は第４の実施形態の災害用仮設トイレの送水に適用した仮設トイレ用給水システムの系統図を示したものである。第１〜３の実施形態で説明した図１において、吸込み分岐管３に取り付けた三方弁４を仕切弁４−１に替えると共に吸込み管２の出口をポンプ５の吸込み口５ａと前記仕切弁４−１のａ側との間の分岐管３に取り付け、吐出合流管７に取り付けた三方弁８を仕切弁８−１に替えると共に送水管９の入り口を前記ポンプ５の吐き出し口５ｂと前記仕切弁８−１のａ側との間合流管７に取り付けたものである。
このようにしたものにおいて、使用初期は、前記吐出側合流管７部に取り付けた仕切弁８−１及び吸込み分岐管３に取り付けた仕切弁４−１を共に開放する。即ち、最初に手押しポンプ６を運転して吸込み管２、吸込み分岐管３（ポンプの運転で通水される部位）及びポンプ５内の空気を、前記手押しポンプ６を通して水と一緒に送水管９側に排出して満水状態とする。このポンプ内の満水は、第１の実施形態と同様に手押しポンプ運転によるサイホン現象を利用したものである。
これが完了したところで手押しポンプ６を停止する。続いて、前記吐出合流管７と吸込み分岐管３に取り付けた仕切弁８−１、４−１を閉じて手押しポンプ６側を遮断し、ポンプ５から仮設トイレ１８側へ送水する側へ切替える。この後、前記非常電源装置２０を作動させポンプ５を運転して水源の水を仮設ポンプ側へ送水する。
以上の一連の動作により吸込み管、吸込み分岐管及びポンプ内の空気を除去し満水状態にして前記ポンプが確実に揚水されるように手順化したものである。
【第４の実施形態の効果】
【００２２】  このようにすると、吸込み管、分岐管、ポンプ内の空気が確実に除去され満水状態となりポンプからの送水が確実に仮設トイレ側に送水され、［段落０００７］で述べた従来の吸込み運転に関連する問題を解消するばかりではなく三方弁を仕切弁に替えたことによりコスト低減ができる。
【００２３】  次に第５の実施形態について説明する。非常電源駆動ポンプ系が故障した際には、前記吐出合流管７と吸込み分岐管３に取り付けた仕切弁８−１、４−１を開放して手押しポンプに切り替えて運転を継続し給水を維持する。
【第５の実施形態の効果】
【００２４】  このようにすると、非常電源駆動ポンプ系が故障した際にも手押しポンプによりバックアップし給水を維持することができる。
【００２５】  次に第６の実施形態について説明する。実施形態の第１〜第４において、仕切弁と三方弁を自動弁に変更し、第１〜第４の実施形態で操作した手順を自動化し、誤操作によるポンプ、吸込み管及び吸込み分岐管の呼び水及び満水不能の問題が生じないようにしたものである。先ず、三方弁を自動弁とした場合を図５により詳細に説明する。ＥＧは非常電源装置である可搬式の発電機（例えば交流電力を発生する。）、ＢＳＳは起動押釦スイッチ、ＢＳＴは停止押釦スイッチ、４３はノッチ４３ａ（非常電源駆動ポンプ運転モード）、ノッチ４３ｂ（呼び水）及びノッチ４３ｃ（手押しポンプ運転モード）に切り替えるスイッチ、ＳＶＸはその接点ＳＶＸａで前記起動押し釦スイッチＢＳＳを自己保持するリレー、ＳＶは前述した吸込み分岐管に取り付けられた三方弁４を自動弁としたもの、同じくＤＶは前述した吐出合流管に取り付けられた三方弁８を自動弁としたものであり、コイルＳＶｂとＤＶｂが励磁されるとｃ−ｂ側が開放され、コイルＳＶａとＤＶａが励磁されるとｃ−ａ側が開放されるものである。２２は前述したモータである。本実施形態の場合、ポンプのモータ２２には始動装置を内蔵しているものを用いているが、２２を電磁開閉器とし、これの主回路接点を介して前記モータを駆動しても良い。ＬＸ１、ＬＸ２、ＬＸ３は前記各モードに対応したリレー、Ｌ１、Ｌ２、Ｌ３は前記各モードのどれが選択されているかを示す表示ランプである。この回路において、起動押釦スイッチＢＳＳを押して、切替えスイッチ４３を前記４３ｂ（呼び水満水運転モード）にセットすると両三方弁コイルＳＶａ、ＳＶｂ、ＤＶａ、ＤＶｂが励磁して全方向に開放する。そして、手押しポンプを運転し前述で明らかなので説明は省くが、呼び水及び満水を行う。呼び水満水が終了したら（人為的な判断）前記、切替えスイッチ４３を４３ｃ（非常電源駆動ポンプ運転モード）に切替える。これに伴い、前記した自動弁ＳＶが遮断され自動弁ＤＶがｃ−ａ側（非常電源駆動ポンプから仮設トイレ側）に切り替わる。即ち、前記手押しポンプから仮設トイレ側への流れが遮断され、前記ポンプから仮設トイレ側への流れが確立する。同時に、前記モータ２２へ非常電源が印加されてポンプは運転を行う。
次に、仕切弁を自動弁としたものについて説明する。図５において、切替えスイッチ４３のノッチ４３ｂ、リレーＬＸ１、Ｘ２及びこれらの接点とこれらの接点に関連する配線、表示ランプＬ２を削除し、三方弁対応自動弁のコイルＳＶａとＤＶａを削除する。これによって仕切弁対応の自動弁となる。即ち、呼び水モードを手押しポンプ運転モードと兼用する。使用当初において、切替えスイッチ４３のノッチ４３ｃが選択されるとリレーＬＸ３が励磁して自動弁ＳＶｂとＤＶｂが開放し、前記ポンプ吐出側と手押しポンプ吸込み側が連通する。こうして、手押しポンプを運転すると、水源の水が吸上げられ吸込み管、吸込み分岐管、ポンプ吸込み側、ポンプ、ポンプ吐出口、送水配管９へと送水され、満水状態となる。
【第６の実施形態の効果】
【００２６】  このようにすると、誤操作による前述した吸込み運転に伴う人為的な不具合を解消することができる。
【００２７】  図６により、第７の実施形態について説明する。第１〜６の実施形態に基づく各弁類の開閉操作、手押しポンプ及び非常電源ポンプの運転操作を手順化し、注意銘板又は看板に記載し掲示してガイダンス機能を付加したものである。図６において、例えば７０は看板、７０ａは注意銘板や注意書きである。
【第７の実施形態の効果】
【００２８】  このようにすると、操作のしかたが一般に周知徹底され、誤操作による前述した吸込み運転に伴う人為的な不具合を解消することができる。
【符号の説明】
【００２９】  １…水源、２…吸込み管、３…吸込み分岐管、４…三方弁、５…非常電源駆動ポンプ、６…手押しポンプ、７…吐出合流管、８…三方弁、９…送水管、１０…呼び水手段、１１…仕切弁、１２…呼び水じょうごまたはタンク、１３…横引き配管、１４…貯留槽、１５…仕切弁、１６…送水管、１７…下水管、１８…仮設トイレ群、１９…フート弁、２０…非常電源装置、２２…非常電源駆動ポンプ用モータ
【図１】
2015151853.tif 000003
【図２】
2015151853.tif 000004
【図３】
2015151853.tif 000005
【図４】
2015151853.tif 000006
【図５】
2015151853.tif 000007
【図６】
2015151853.tif 000008